(57)【要約】      （修正有）【課題】メザニンカードとしての電子カードにより発せられた熱を放出するように構成された放熱指示プレートを備えた電気機器を提供する。【解決手段】電子機器１は、ハウジング２０８と、当該ハウジング２０８に収容される電子部品を含む電子パワーモジュール２００と、電子パワーモジュール２００の電子部品を制御するよう構成された電子カード２０と、熱放散支持プレート３０と、を備える。熱放散支持プレート３０は、受け面と呼ばれる、当該面に接触した状態で電子カード２０が、電子パワーモジュール２００に対向するメザニンカードとして配置されるように支えられる一の面と、受け面の反対側に設けられ、放熱プレート２に対する熱放散支持プレート３０の固定を可能とし、電子カード２０に由来する熱を放出する少なくとも１つの支持突起３１と、を含む。【選択図】図３
2020074659.tif 000002
【特許請求の範囲】
【請求項１】
−ハウジングと、当該ハウジングに収容される電子部品と、を含む電子パワーモジュール（２００）と、
−特に、前記電子パワーモジュール（２００）の前記電子部品を制御するよう構成された電子カードと、
−熱放散支持プレート（３０）と、を備える電気機器（１）であって、前記熱放散支持プレート（３０）は、
−受け面と呼ばれる一の面であって、当該面に接触した状態で前記電子カード（２０）が、前記電子パワーモジュール（２００）に対向するメザニンカードとして配置されるように支えられる、一の面と、
−前記受け面の反対側に設けられた、少なくとも１つの支持突起（３１）であって、前記電子パワーモジュールの前記ハウジングに属する放熱プレート（２）に対する前記熱放散支持プレート（３０）の固定を可能とするよう構成され、前記電子パワーモジュール（２００）の前記放熱プレート（２）を介した熱の放散を可能とするように、前記電子カード（２０）に由来する熱を放出するよう構成された前記少なくとも１つの支持突起（３１）と、を含む、電気機器（１）。
【請求項２】
前記電子パワーモジュール（２００）の前記放熱プレート（２）の第１の面は、前記電子パワーモジュール（２００）の放熱外面を成し、前記電子部品は、前記第１の面とは反対側の、前記電子パワーモジュール（２００）の前記放熱プレート（２）の第２の面に実装される、請求項１に記載の電気機器（１）。
【請求項３】
前記電子パワーモジュール（２００）の前記放熱プレート（２）の前記第２の面は、前記電子パワーモジュール（２００）の外面を成す少なくとも１つの部分を含み、前記支持突起（３１）の一端が、前記部分で支持される、請求項２に記載の電気機器（１）。
【請求項４】
前記ハウジングは、特に絶縁材料で作られた、前記放熱プレート（２）の前記第２の面から延出する壁部を含み、前記壁部は、前記電子パワーモジュール（２００）の前記電子部品を収容するハウジングを画定するように閉じられる、請求項１から請求項３のいずれか一項に記載の電気機器（１）。
【請求項５】
前記放熱プレートの前記第２の面の外側の前記部分は、前記放熱プレート（２）の縁及び前記放熱プレート（２）の外面により区切られる表面である、請求項３又は請求項４に記載の電気機器（１）。
【請求項６】
フレームを備え、
前記フレームは、
−前記熱放散支持プレート（３０）を前記フレームで固定するよう構成された第１の保持部材と、
−前記電子パワーモジュール（２００）を前記フレームで固定するよう構成された第２の保持部材と、を含み、
他のいずれの固定手段にも依存することなく、前記フレームを介して、前記熱放散支持プレート（３０）と前記電子パワーモジュール（２００）とが互いに一体となっている、請求項１から請求項５のいずれか一項に記載の電気機器（１）。
【請求項７】
前記熱放散支持プレート（３０）は、前記熱放散支持プレート（３０）を前記フレームで留めるための相補的な第１の保持部材を含み、
前記電子パワーモジュール（２００）は、前記電子パワーモジュール（２００）を前記フレームで留めるための相補的な第２の保持部材を含む、請求項６に記載の電気機器（１）。
【請求項８】
請求項１から請求項７のいずれか一項に記載の一の電気機器（１）と、
前記一の電気機器（１）がそれに接触して付加される放熱体と、
を備える電気アセンブリ（１）であって、
前記放熱プレート、特に前記放熱プレートの外面は、前記放熱体の一面と対向しており、前記電気アセンブリは、前記放熱プレート及び前記放熱体での前記支持突起（３１）の支持を介して、前記放熱体に固定される、電気アセンブリ（１）。
【請求項９】
請求項８に記載の電気アセンブリを備えるインバータ。
【発明の詳細な説明】
【技術分野】
【０００１】
本発明は、メザニンカードとしての電子カードを支えるよう構成された熱放散支持プレートを備えた一の電気機器に関する。
【０００２】
本発明は例えば、電気自動車及びハイブリット自動車のために構成された、特に高電圧の、電気機器の分野に関する。
【背景技術】
【０００３】
インバータ等の一の電気機器では、公知のように、ハウジングが１つ又は幾つかの電子カードを収容している。例えば、一の電気機器は、電子カード、例えば、支持プレートにメザニンカードとして実装可能な、電子パワーモジュールに対向する電子制御カードを含みうる。
【発明の概要】
【発明が解決しようとする課題】
【０００４】
このような電子カードは熱を生じさせることが知られている。特に、電子制御カードは自身の稼働中に熱を生じさせ、約５wの加熱能の放散が必要となる。
【０００５】
これに比べて、電子パワーモジュールは、約２kWの加熱能を放散させる必要がある。この趣旨において、電子パワーモジュールは、冷却液を受容する放熱体と接触させることが可能である。
【０００６】
電子カードにより発せられた熱の放散においては、特に、支持プレートにメザニンカードとして実装された電子カードに熱が存在するという状況に問題がある。実際において、冷却液へと熱を放散するための経路を探す必要がある。
【課題を解決するための手段】
【０００７】
本発明は、特に電気自動車又はハイブリッド自動車内の、特に、一の電気機器、特にインバータでの実施のために記載されるが、インバータに限定されると解釈する必要がないことに注意されたい。
【０００８】
そのハウジング内に、電気自動車又はハイブリッド自動車は、高電圧の車載電気ネットワークを介して、高電圧供給バッテリにより給電される電気的な動力化システムと、低電圧の車載電気ネットワークを介して、低電圧供給バッテリにより給電される複数の補助的な電気機器と、を備える。
【０００９】
高電圧供給バッテリは、車両の推進を可能とする電気的な動力化システムのエネルギーを供給する機能を提供する。車両の車輪を駆動する電動機を制御するためには、高電圧供給バッテリにより供給された直流を１つ又は幾つかの制御交流へと変換することを可能とするインバータを使用することが知られている。
【００１０】
インバータは、電子部品を含んでおり、当該電子部品を通じて、電気的な動力化システムに供給されるエネルギーが流れる。従来では、電子部品は電子パワーモジュールの形態により配置されている。即ち、インバータは、制御ユニットを備えており、この制御ユニットは、インバータの電子部品を制御することを可能とする電子部品を含んでいる。
【００１１】
電子パワーモジュールは、電子部品を収容するハウジングを備える。従って、電子パワーモジュールは、電動機に供給されるエネルギーが通過する電子パワー部品を含む。この電子パワー部品は、例えば半導体トランジスタ等の、電子スイッチを含むことが可能であり、供給バッテリと電動機との間での電気エネルギーの制御された流れを可能とするために電気回路に配置されている。特に、電子パワー部品は、剥き出しの半導体チップであり、ハウジングがそのためにカプセル化を行う。換言すれば、一のハウジングが、電子パワーモジュールの全ての剥き出しのセミコンダクタチップの調整を行う。
【００１２】
電子パワーモジュールのハウジングは、電子パワーモジュールの電子部品に給電することを可能とする導電体を含みうる。さらに、電子パワーモジュールは、電子制御ユニット、換言すると「ドライバ（driver）」カードと関連付けられうる。この電子制御ユニットによって、当該制御ユニットにより伝達された信号を用いて、電子パワーモジュールの電子部品の制御に適合された電圧レベルをもたらすことが可能である。
【００１３】
一般に、本発明は、電子パワーモジュールと、支持プレートにメザニンカードとして配置された電子カードと、を含む一の電気機器であって、メザニンカードとして配置された電子カードにより発せられた熱を放散させる必要がある、上記一の電気機器に適用される。
【００１４】
この目的により、本発明は、電子パワーモジュールに対してメザニンカードとして配置された電子カードを支えるように構成された熱放散支持プレートに関する。熱放散支持プレートは、少なくとも１つの突起を含んでおり、この少なくとも１つの突起は、電子カードに組み込まれた部品により発せられた熱を放出するよう構成され、特に支持プレートでの拡散によって及び上記突起と電子パワーモジュールの放熱プレートとを接触させることを介して、上記熱の放散を可能とする。
【００１５】
この趣旨において、より厳密には、本発明はまず、目的のために一の電気機器を有し、この電気機器は、
−ハウジングと、当該ハウジングに収容される電子部品と、を含む電子パワーモジュールと、
−特に電子パワーモジュールの電子部品を制御するよう構成された電子カードと、
−熱放散支持プレートデバイスと、を備え、前記熱放散支持プレートは、
−受け面と呼ばれる一の面であって、当該面に接触した状態で電子カードが、電子パワーモジュールに対向するメザニンカードとして配置されるように支えられる、一の面と、
−前記受け面の反対側に設けられた、少なくとも１つの支持突起であって、前記電子モジュールのハウジングに属する放熱プレートに対する前記熱放散支持プレートの固定を可能とするよう構成され、電子パワーモジュールの放熱プレートを介した熱の放出を可能とするように、電子カードに由来する熱を放出するよう構成された、前記少なくとも１つの支持突起と、を含む。
【００１６】
有利には、前記少なくとも１つの突起に加えて、熱放散支持プレートは、前記受け領域を形成する材料のうち、電子カードにより発せられた熱を放散させる少なくとも１つの他の手段と、電子カードと熱放散支持プレートの前記受け領域とが表面接触した機構と、を含む。
【００１７】
有利には、前記少なくとも１つの突起は、締め付けネジの通過を可能とするために通しシャフトを含む。
【００１８】
上記シャフトの直径は、放熱を改善するよう設定されうる。一実施形態によれば、前記熱放散支持プレートによって、電子パワーモジュールと電子カードとの間の電磁シールドの機能が提供される。一実施形態によれば、電子パワーモジュールの放熱プレートの第１の面は、電子パワーモジュールの放熱外面を成し、電子部品は、第１の面とは反対側の、電子パワーモジュールの放熱プレートの第２の面に実装される。
【００１９】
一実施形態によれば、電子パワーモジュールの放熱プレートの第２の面は、電子パワーモジュールの外面を成す少なくとも１つの部分を含み、前記少なくとも１つの突起の一端が、前記部分で支持される。
【００２０】
一実施形態によれば、前記ハウジングは、特に絶縁材料で作られた、放熱プレートの第２の面から延出する壁部を含み、前記壁部は、電子パワーモジュールの電子部品を収容するハウジングを画定するように閉じられる。
【００２１】
特に、壁部は、放熱プレートの縁に沿って付加される。
【００２２】
特に、壁部は、放熱プレートにオーバーモールドされる。
【００２３】
本発明は、一の電気機器であって、放熱プレートの第２の面の前記外側の部分は、放熱プレートの縁及び前記壁部の外面により区切られる表面である、一の電気機器にも関する。
【００２４】
一実施形態によれば、上記一の電気機器はフレームを含み、
フレームは、
−前記熱放散支持プレートを前記フレームで固定するよう構成された第１の保持部材と、
−前記電子パワーモジュールを前記フレームで固定するよう構成された第２の保持部材と、を含み
他のいずれの固定手段にも依存することなく、前記フレームを介して、熱放散支持プレートと電子パワーモジュールとが互いに一体となっている。
【００２５】
一実施形態によれば、前記熱放散支持プレートは、前記熱放散支持プレートを前記フレームで留めるための相補的な第１の保持部材を含み、前記電子パワーモジュールは、前記電子パワーモジュールを前記フレームで留めるための相補的な第２の保持部材を含む。
【００２６】
有利には、第１の保持部材は突起であり、相補的な保持部材は、前記熱放散支持プレートに配置された凹所である。
【００２７】
本発明は、先に簡潔に記載した一の電気機器と、当該一の電気機器がそれに接触して付加される放熱体と、を含む電気アセンブリであって、放熱プレート、特に放熱プレートの外面は放熱体の一面と対向しており、電気アセンブリは、放熱プレート及び放熱体での突起の支持を介して、放熱体に固定される、上記電気アセンブリも対象とする。
【００２８】
電子パワーモジュールの放熱プレート及び放熱体は、特に棒状体を介して、特に、突起に収容された締め付けネジを介している。特に、少なくとも１つの突起は、締め付けネジの通過を可能とするために通しシャフトを含む。
【００２９】
本発明は、先に簡潔に記載した電気アセンブリを備えるインバータに関する。
単に一例として与えられる本明細書の以下の記載を、非限定的な例として与えられた添付の図面を参照しながら読むと、本発明がより良好に理解されるであろう。同一の参照符号が、同様の対象に付されている。
【図面の簡単な説明】
【００３０】
【図１】部分的に示された一の電気機器における本発明に係る熱放散支持プレートを示す。
【図２】本発明に係る熱放散支持プレートの断面図を示す。
【図３】本発明に係る熱放散支持プレートによる熱の放出を示す。
【図４】本発明に係る熱放散支持プレートにより提供される電磁シールド機能を示す。
【図５】本発明に係る支持放散プレートの突起の内部に配置されたシャフトを通る締め付けネジを示す。
【図６】熱放散支持プレートを保持する手段を示した、電気機器のハウジングの部分図を示す。
【発明を実施するための形態】
【００３１】
図は、本発明の実施のために本発明を詳細に開示しており、図は、当然のことながら、適切な場合には本発明をより良好に定義するために使用されうることに注意されたい。
【００３２】
以下の明細書の記載では、本発明は主に、電気自動車又はハイブリッド自動車のための一の電気機器への適用において記載されるが、これにより、本発明の範囲が限定されることはない。
【００３３】
さらに、先に説明したように、本発明は主に、インバータでの実施のために記載されるが、特に支持プレートにメザニンカードとして配置された電子カードを備えており、メザニンカードとして配置された電子カードにより発せられた熱を放散させる必要があるいずれの電子機器にも適用されうる。
【００３４】
一の電気機器のハウジング内で、メザニンカードである電子カード、特に上記他の電子カードの実装を可能とする支持プレートは、一般に「ブラケット」という用語により称される。
【００３５】
図１から図５に示すように、支持プレート３０は、電子パワーモジュール２００の放熱プレート２に固定されるために設けられる。支持プレート３０は、まず、メザニンカードとして配置された電子カード２０を機械的に保持するためのインタフェース機能を保証する。換言すれば、支持プレート３０、又は「ブラケット」によって、電子パワーモジュールに対向する電子カード２０の載置が可能となる。
【００３６】
本発明によれば、このような支持プレート３０は、自身が支える電子カード２０に由来する熱量を放出し、適切である場合には、電磁シールド機能を保証し（即ち電磁波のためのEMWシールドとして設計され）、及び／又は、相補的なやり方で、質量を受け持つ機能を保証するよう構成され、これにより、メザニンカードである上記電子カード２０に有益である。
【００３７】
特に、電子パワーモジュール２００を含む一の電子機器に熱放散支持プレート３０を実装することが構想される。電子パワーモジュール２００は、壁部２１０と、放熱プレート２と、を収容するハウジング２０８を含んでいる。
【００３８】
特に、ハウジング２０８の壁部２１０は、第１の保持手段を含み、熱放散支持プレート３０は、熱放散支持プレート３０をその外装で留めるための相補的な保持手段を含んでいる。
【００３９】
例えば、第１の保持手段は突起であり、相補的な保持手段は、上記熱放散支持プレート３０に配置された凹所である。図６は、電気機器のハウジングの内部の斜視図を示している。本実施形態によれば、突起９が、熱放散支持プレート３０を、当該熱放散支持プレートの周縁に係合することにより保持している。
【００４０】
図１から図５を参照すると、第１の電子カード１０が、電子パワーモジュール２００に直に配置されている。熱放散支持プレート３０は、図５に示すように、対応する突起３１の内部に配置されたシャフト３２に係合したネジ３を介して、放熱プレート２に固定されている。熱放散支持プレート３０には、電子パワーモジュール２００に対向するメザニンカードとして配置された第２の電子カード２０が載置されている。特に図３を参照すると、熱放散支持プレート３０は、当該熱放散支持プレート３０の内部の、第２の電子カード２０により発せられた熱の一部を、放熱プレート２へと放散させる機能を有し、この熱は、特に、例えば、当該放熱プレート２に接触して配置され又は当該放散プレート２の近傍に配置された冷却回路（図示せず）を用いて放散させられる。
【００４１】
図２及び図３を参照すると、本発明は、このようにして、電子カード２０を支える熱放散支持プレート３０の内部の熱を放散させることで、及び、突起３１を用いて放熱プレート２へと上記熱を放出することで、電子パワーモジュール２００に対向するメザニンカードとして配置された電子カード２０の冷却を促進することを目指す。さらに、突起３１によって、放熱プレート２への熱放散支持プレート３０の固定が可能となる。この場合、放熱プレートは、冷却回路（図示せず）と接触しうる。図３では、矢印４によって、電子カード２０から放熱プレート２へと放出される熱の流れが示されている。
【００４２】
本発明の一実施形態において、このような状況は、車両、特に自動車で存在する。この車両は、特に、電動機、インバータ、及び、高電圧供給バッテリを含む。
【００４３】
この場合、インバータは、一の電気機器１を備え、当該一の電気機器１は、２つの電子カード１０、２０を含んでいる。第１の電子カードは、電子パワーモジュール２００のハウジングに直接的に載置されており、制御ユニット、換言すれば「ドライバ」カードである。第２の電子カードは、本発明に係る熱放散支持プレート３０にメザニンカードとして配置された制御ユニットである。
【００４４】
特に、本実施形態によれば、電子パワーモジュール２００は、電子パワー部品を含み、この電子パワー部品を通じて、導電体６を介して電動機に供給されるエネルギーが流れる。上記電子部品は、特に、供給バッテリにより伝達された直流を交流へと変換し、又は、逆もまた同様に変換するよう構成されている。これらの電子パワー部品は、供給バッテリと電動機との間の電気エネルギーの制御された流れを可能とするために電気回路に配置された、例えば半導体トランジスタ等の、電子スイッチを含みうる。特に、電子部品７は、剥き出しの半導体チップを含み、この半導体チップのために、電子パワーモジュール２００のハウジング２０８はカプセル化を行う。換言すれば、一のハウジング２０８が、電子パワーモジュールの全ての剥き出しの半導体チップの調整を行う。
【００４５】
電子機器１は、例えば、電子パワーモジュール２００のハウジング２０８の放熱プレート２に接続された冷却回路（図示せず）によって冷却される。
【００４６】
図１から図５の実施形態に示されるように、第２の電子カード、例えば制御ユニット２０は、熱放散支持プレート３０の受け領域にメザニンカードとして配置されている。第２の電子カードに含まれる電子部品７が発した熱は、熱放散支持プレート３０によって放出されて放散される。
【００４７】
この目的のために、熱放散支持プレート３０は、突起３１を含んでいる。
【００４８】
この仕組み３１は、熱放散支持プレート３０と、特に、メザニンカードとして配置された電子カードの受け領域とを、電子パワーモジュール２００のハウジングの壁部に対して機械的及び熱的に接続する。特に、突起３１によって、熱放散支持プレート３０の受け領域が、電子パワーモジュール２００のハウジングの放熱プレート２へと接続される。特に、突起３１は、放熱支持プレート３０の締め付けネジ３をハウジング２０８の放熱プレート２へ通すことを可能にするよう構成されたシャフト３２を含んでいる。
【００４９】
突起３１は、メザニンカードとして配置された電子カード２０からの熱を放出するよう構成されている。特に、突起３１の直径、及び、突起に含まれる全てのシャフト３２の直径は、メザニンカードとして配置された電子カード２０の受け領域からの熱の放出を最大化するよう構成されている。
【００５０】
メザニンカードとして配置された電子カード２０が発した熱、特に電子部品が発した熱は、このようにして、熱放散支持プレート３０により捕らえられ、突起３１によって放出され、従って、電子パワーモジュール２００の放熱プレート２へと、そして、電子パワーモジュールの放熱プレート２が実装されている放熱体へと、運ばれる。
【００５１】
さらに、熱放散支持プレート３０に対向するメザニンカードとして配置された電子カード２０が発した熱を放散させるという本目的において、一実施形態によれば、熱放散支持プレート３０は、熱伝導材料で形成され、接触、特に表面接触が、メザニンカードとして配置された電子カード２０と、当該電子カード２０の受け領域を含む、熱放散支持プレート３０の上面と、の間で構成され、従って、熱放散支持プレート３０の質量による熱の放散が促進される。
【００５２】
一実施形態によれば、さらに、放熱プレート２に開口部を配置することが構想され、上記開口部は、熱放散支持プレート３０の貫通路、特にシャフト３１に面している。ネジは、上記貫通路及び開口部を通るように構成され、従って、電子パワーモジュール２００と、メザニンカードとして配置された電子カード２０を支持する熱放散支持プレート３０と、を含むアセンブリが、支持部に固定される。このような支持部は、特に放熱体を含み、この放熱体で放熱プレート２は支持されている。
【００５３】
熱放散支持プレート３０の受け領域は、正にハウジング２０８のように、各電子カード１０、２０をそれぞれ支持するパイルの機能を提供する突起又は第２の突起を含みうる。特に、ハウジング２０８、及び／又は、熱放散支持プレート３０の受け領域は、それぞれが支持する電子カード１０、２０を挟持する挟持手段を含むことが可能であり、従って、上記電子カードの振動が防止され、さらに、電子カード２０はメザニンカードとして配置されており、発せられた熱が適切に放出される。
【００５４】
この場合、放熱体５０は、例えば、電気アセンブリ、例えばインバータに組み込まれており、電子パワーモジュール２００、及び、熱放散支持プレート３０に実装されるよう構成される。
【００５５】
さらに、熱放散支持プレート３０は、さらに好適に、電磁シールド機能を提供する。特に、この目的のために、熱放散支持プレート３０は金属で形成される。
【００５６】
図４は、メザニンカードとして配置された電子カード２０又は電子パワーモジュール２のハウジング２０８により直接的に支えられた第１の電子カード１０に由来する電磁的な流れ５を示すことで、上記の電磁シールド機能を示しており、本実施形態によれば、特に、上記熱放散支持プレート３０は金属で形成され、一方の電子カード１０、２０により放出された電磁的な流れが、他方の電子カード２０、１０に干渉することを防止する。
【００５７】
一実施形態によれば、熱放散支持プレート３０は、いかなる事後的な機械加工も必要としない成形によって得られることが言及される。
【図１】
2020074659.tif 000003
【図２】
2020074659.tif 000004
【図３】
2020074659.tif 000005
【図４】
2020074659.tif 000006
【図５】
2020074659.tif 000007
【図６】
2020074659.tif 000008
【外国語明細書】
2020074659000001.pdf